(57)【要約】【課題】本発明は、簡単に、組み立てることができる、気体流体の電気駆動式コンプレッサを駆動するための装置、特に電気モータ、及びその組立方法を提供する。【解決手段】長手方向軸（５）に沿って延在するように配置されたロータとステーター（１）とを含む気体流体の圧縮機を駆動するための装置であって、導線（９）の接続リードと電気的に接続された連結要素（１４）を受け入れるために実装されたプラグハウジング（７ｂ）と、収容要素（７）と、を有する支持要素（６）が配置され、収容要素（７）は接続通路（７ａ）を備えるプラグハウジング（７ｂ）を備え、プラグハウジング（７ｂ）が、収容要素（７）内に滑り込み、収容要素（７）の各接続通路（７ａ）とプラグコネクタを収容するための連結要素（１４）とが対応するように収容要素（７）内に配置されていることを特徴とする。 【選択図】  図２
2019205341.tif 000002
【特許請求の範囲】
【請求項１】
共通の長手方向軸（５）に沿って延在するように配置されたロータとステーター（１）とを含む気体流体の圧縮機を駆動するための装置であって、特に電気モータのコイル（３）の導線（９）のセグメントとして、前記導線（９）の接続リードと電気的に接続され、且つプラグコネクタとの電気的接続のために設けられた少なくとも１つの連結要素（１４）を受け入れるために設置された少なくとも１つのプラグハウジング（７ｂ）と、
前記ステーター（１）上に、少なくとも１つの前記プラグハウジング（７ｂ）のための少なくとも１つの収容要素（７）を有する支持要素（６）が設けられ、前記収容要素（７）は少なくとも１つの接続通路（７ａ）を備える前記プラグハウジング（７ｂ）と、
を備え、
前記プラグハウジング（７ｂ）が、前記収容要素（７）内に滑り込み、前記収容要素（７）の前記各接続通路（７ａ）と前記プラグコネクタを収容するための前記連結要素（１４）とが対応するように前記収容要素（７）内に配置され、少なくとも一部の領域は注封部材で充填され、気密シールの下で前記支持要素（６）と接続されていることを特徴とする圧縮機駆動装置。
【請求項２】
前記連結要素（１４）は、第１接続部材（１４ａ）及び第２接続部材（１４ｂ）を有し、前記第１接続部材（１４ａ）が前記導線（９）と電気的に接続され、前記第２接続部材（１４ｂ）が、前記プラグコネクタとの電気的に接続される目的で設けられることを特徴とする請求項１に記載の圧縮機駆動装置。
【請求項３】
前記プラグハウジング（７ｂ）は、前記収容要素（７）内の所定の移動方向（１８）に挿入され、前記収容要素（７）の前記各接続通路（７ａ）と前記連結要素（１４）の第２接続部材（１４ｂ）とが前記プラグコネクタを受け入れるために相互に対応するよう配置されることを特徴とする請求項２に記載の圧縮機駆動装置。
【請求項４】
少なくとも１つの前記プラグハウジング（７ｂ）のための少なくとも１つの前記収容要素（７）を有する前記支持要素（６）は、結合された一体構成要素として形成されることを特徴とする請求項１乃至３のいずれか一項に記載の圧縮機駆動装置。
【請求項５】
前記プラグハウジング（７ｂ）は、第１ハウジング部（１０）と第２ハウジング部（１１）とから形成されることを特徴とする請求項１乃至４のいずれか一項に記載の圧縮機駆動装置。
【請求項６】
前記第１ハウジング部（１０）と第２ハウジング部（１１）とは、それらがフォームクロージャ（ｆｏｒｍ  ｃｌｏｓｕｒｅ）状態で互いに接続可能であるように形成されることを特徴とする請求項５に記載の圧縮機駆動装置。
【請求項７】
前記導線の前記連結要素（１４）は、所定の位置に固定されるように前記第１ハウジング部（１０）と第２ハウジング部（１１）との間に固定して配置されることを特徴とする請求項５又は６に記載の圧縮機駆動装置。
【請求項８】
前記プラグハウジング（７ｂ）は、少なくとも１つの第１室（１５）、少なくとも１つの第２室（１６）、及び少なくとも１つの第３室（１７）を有することを特徴とする請求項１乃至７のいずれか一項に記載の圧縮機駆動装置。
【請求項９】
前記導線（９）の１つの接続リード線が、前記第１室（１５）を貫通し、前記第１室（１５）を貫通してから前記第２室（１６）に達するように配置されることを特徴とする請求項８に記載の圧縮機駆動装置。
【請求項１０】
前記導線（９）の接続リード線が、前記第２ハウジング部（１１）に設けられた貫通部（１３）を通って前記プラグハウジング（７ｂ）の前記第１室（１５）に挿入されることを特徴とする請求項９記載の圧縮機駆動装置。
【請求項１１】
前記第１室（１５）が、前記プラグハウジング（７ｂ）を気密封止するための注封材料で充填されていることを特徴とする請求項８乃至１０のいずれか一項に記載の圧縮機駆動装置。
【請求項１２】
前記第１接続部材（１４ａ）を有する前記連結要素（１４）は、前記第２室（１６）内に配置され、前記第２接続部材（１４ｂ）を有する前記連結要素（１４）は、前記第３室（１７）内に配置されることを特徴とする請求項８乃至１１のいずれか１項に記載の圧縮機駆動装置。
【請求項１３】
前記第２接続部材（１４ｂ）は、前記プラグコネクタを少なくとも部分的に包囲するためのアイレットの形で形成されることを特徴とする請求項２乃至１２のいずれか一項に記載の圧縮機駆動装置。
【請求項１４】
前記支持要素（６）は、半径方向に配向された半径方向環状表面（６ａ）と軸方向に配向された軸方向環状表面（６ｂ）とを含み、前記半径方向環状表面（６ａ）及び前記軸方向環状面（６ｂ）は、それぞれの外側端エッジ同士で接触し互いに連結するように配置されていることを特徴とする請求項１乃至１３のいずれか一項に記載の圧縮機駆動装置。
【請求項１５】
前記支持要素（６）は、前記導線（９）の少なくとも１つの接続リード線を案内するために、第１案内部材（１９）又は第２案内部材（２０）の中の少なくとも１つを備えることを特徴とする請求項１乃至１４のいずれか一項に記載の圧縮機駆動装置。
【請求項１６】
前記第１案内部材（１９）が、軸方向に沿った円筒形の前記軸方向環状面（６ｂ）の円周方向に開口した扇形の形状の壁を備えていることを特徴とする請求項１５に記載の圧縮機駆動装置。
【請求項１７】
前記第１案内部材（１９）は、前記支持要素（６）の半径方向に配向された前記半径方向環状面（６ａ）で前記支持要素（６）と連結され、前記導線（９）の一つ以上の接続ラインは、前記第１案内部材（１９）の壁の移行領域において前記支持要素（６）の前記半径方向環状面（６ａ）に接触していることを特徴とする請求項１６に記載の圧縮機駆動装置。
【請求項１８】
少なくとも１つの第２案内部材（２０）が、半径方向に外側に突出する方式で前記第１案内部材（１９）の壁に配置された保持ブラケットの形態で形成されていることを特徴とする請求項１６又は１７に記載の圧縮機駆動装置。
【請求項１９】
前記少なくとも１つの第２案内部材（２０）が、前記第１案内部材（１９）の前記壁の上端側に形成され、前記導線（９）の接続リードが前記導線（９）の接続ラインが前記第２案内要素（２０）と前記支持要素（６）の半径方向に整列された前記半径方向環状面（６ａ）の間に配置されたことを特徴とする請求項１８に記載の圧縮機駆動装置。
【請求項２０】
前記支持要素（６）の半径方向に配向された前記半径方向環状面（６ａ）内に、軸方向において少なくとも１つの前記第２案内部材（２０）とは反対側に整形部（２１）が設けられていることを特徴とする請求項１９に記載の圧縮機駆動装置。
【請求項２１】
、請求項１乃至２０のいずれか一項に記載の気体流体の圧縮機を駆動する圧縮機駆動装置を組み立てる方法であって、
ロータとステーター（１）とを共通の長手方向軸（５）上に配置し、前記ステーター（１）が前記ロータを半径方向に取り囲む段階と、
前記ステーター（１）の軸方向を向く端部側に支持要素（６）を配置する段階と、
プラグハウジング（７ｂ）の第１ハウジング部（１０）上に、導線（９）の連結要素（１４）と電気的に接続された接続リード線を有するか、または前記接続リード線なしで少なくとも１つの前記連結要素（１４）を配置する段階と、
前記プラグハウジング（７ｂ）の第２ハウジング部（１１）を少なくとも１つの前記連結要素（１４）が配置された状態で前記第１ハウジング部（１０）の上に前記連結要素（１４）がハウジング部（１０、１１）の間に配置されるように配置するとともに、前記第２ハウジング部（１１）を前記第１ハウジング部に固定する段階と、
前記第２ハウジング部（１１）に形成された貫通部（１３）を介して前記導線（９）の少なくとも１つの前記接続リード線を前記プラグハウジング（７ｂ）内に導入し、前記接続リード線のない連結要素（１４）が前記第１ハウジング部（１０）に配置された後、前記導線（９）の接続リード線を接続する段階と、
前記プラグハウジング（７ｂ）を前記支持要素（６）上に配置された収容要素（７）に導入し、これにより前記プラグハウジング（７ｂ）を前記支持要素（６）上の定位置に固定する段階と、
注封材料を前記プラグハウジング（７ｂ）の少なくとも１つの第１室（１５）に充填し、このようにして前記プラグハウジング（７ｂ）を前記支持要素（６）に接続すると共に前記プラグハウジング（７ｂ）を気密封止する段階と、
を含むことを特徴とする圧縮機駆動装置の組み立て方法。
【請求項２２】
導線（９）の、特定の連結要素（１４）と電気的に接続された少なくとも１つの前記接続リード線を有する前記プラグハウジング（７ｂ）を前記ステーター（１）に配置された前記収容要素（７）の前記支持要素（６）の所定の方向にスライドさせ固定することを特徴とする請求項２１記載の圧縮機駆動装置の組み立て方法。
【請求項２３】
自動車の空調システムの冷媒回路における冷媒の圧縮機のための、請求項１乃至２２のいずれか一項に記載の気体流体を圧縮するのための圧縮機を駆動する装置、特に電気モータの使用方法。
【発明の詳細な説明】
【技術分野】
【０００１】
本発明は、気体状の流体、特に冷媒を圧縮するための圧縮機を駆動する装置、特に電気モータに関する。圧縮機は、自動車の空調システムの冷媒回路に使用することができる。この装置は、共通の長手方向軸に沿って配置されたロータとステーターとを含む。ステーターは、コイル導線のセグメントとして開発された接続リードを含む。
【背景技術】
【０００２】
冷媒圧縮機とも呼ばれる冷媒回路を通る冷媒の搬送のための自動車の空調システムのための先行技術において知られている圧縮機は、しばしば冷媒とは無関係に、可変ストローク変位を有するピストン圧縮機として開発された。また、本明細書における圧縮機は、スクロールコンプレッサーとして、電気的に又はベルトプーリによって駆動される。
【０００３】
特定のコンプレッサ機構を駆動するための電気モータとは別に、電気駆動コンプレッサは、電気モータを駆動するためのインバータを備える。インバータは、自動車のバッテリーの直流を電気回路を介して電気モータに供給される交流に変換するのに役立つ。
【０００４】
従来の電気駆動コンプレッサの電気モータは、コイルが配置された環状ステーターコアとロータとが設置され、ロータがステーターコア内に配置された。ロータ及びステーターは、共通の対称軸又はロータの回転軸に沿って配置されている。
【０００５】
インバータは、電気モータの接続部と電気的に接続するための別途の構成要素、及びピンとして形成されたプラグコネクタの電気接続用のプラグ端子を備え、プラグ接続部は、ステーターのコイルの導線の接続リードと電気的に接続された。電気モータのコネクタは、ステーターの軸方向に配向され、ステーターの端部側に配置されたプラグハウジング内に形成されている。
【０００６】
インバータに配置され、ピンとして形成されたプラグコネクタは、圧縮機の組立中にプラグハウジングに設けられた接続部又は接続ポートに挿入され、それぞれ対応する導線と接続された導線の接続リードの端部継手と接触されている。
【０００７】
本明細書では、端部継手は、導線の接続リードと電気的及び機械的に接続されているので、インバータのプラグコネクタと導線との間で常に低い接触抵抗が保証される。例えば導線の接続リード線、相リード線とも呼ばれる導線の非絶縁端部の間で高い絶縁抵抗を有する電気的接続を同時に確実にするためには、導線又は接続ラインの絶縁されない端部は互いに密封方式で密閉され、そしてステーターとモーターハウジングの他の伝導性コンポーネントから電気的に絶縁されなければならない。
【０００８】
ステーターとインバータの導線の接続リード線に接続された端部取付具は、電気モータとしての、特にプラグコネクタの正確で迅速な組立を確実にするために、ステーター上の予め決められた位置に配置されなければならない。ステーター上の導線の接続リード線の十分に正確な配置でない場合は、接続リード線上の端部取付け部材又は導線の組み立ても、モータハウジングへのステーターの組み立ても不可能である。
【０００９】
従来技術の電動圧縮機の電気モータは、導線の接続リード線の端部を受けるためのプラグハウジングは、それをステーター絶縁体に押し付けることによって固定されてた。これにより、プラグハウジングは組み立て中に定位置に固定された。
【００１０】
国際公開第２０１５−１４６６７７  Ａ１号パンフレット（特許文献１）は、圧縮アセンブリ、圧縮アセンブリを駆動するための電気モータ、及び電気モータに電力を供給するためのインバータを備えた電動コンプレッサを開示している。上記の電気モータは、ステーターコアの端部に配置された電気絶縁コイル本体を有するロータとステーターと、コイル本体上に配置されたコイルと、コイルとインバータとを電気的に接続するための接続ポートを有するプラグハウジングとを備える。
【００１１】
また、プラグハウジングは、ラッチ機構又はスプリングクロージャを用いて、特にスナップフックによってコイル本体の端部側でステーターと機械的に連結されている。
【００１２】
プラスチック絶縁された銅線からなるコイルの導線のセグメントとして形成された電気モータの各相のコイルの、特にラッカー銅線で形成された接続リード線は、プラグハウジングがコイル本体に固定される前にプラグハウジングに導入される端部金具と接続されなければならない。
【００１３】
例えば、プラグハウジングの内側を外側に向かってシールして、圧縮されるべき気体状の流体がプラグハウジング内に侵入するのを防止し、それによって、通路での絶縁抵抗及び短絡の発生を減少させるために、プラグハウジングへ続く導線の接続リード線の各端部嵌合部の別のシール要素、特にシールリングが提供される。
【００１４】
更に、２部品で構成されたプラグハウジングを使用するのには、プラグハウジングをシールするための追加のシールを必要とする。電気モータをを圧縮機に組み立てるとき、端子クランプに固定され、ステーターコアの周りに沿って湾曲されたコネクタワイヤの接続リード線は、半径方向外向きに作用する遠心力を発生させ、それがプラグハウジングの変位を招く。従来の電気モータでは、接続リード線又は導線は、接着テープ又はワックス絶縁テープなどの追加の固定要素を使用して所定の位置に固定されていた。
【先行技術文献】
【特許文献】
【００１５】
【特許文献１】ＷＯ  ２０１５−１４６６７７号公報
【発明の概要】
【発明が解決しようとする課題】
【００１６】
本発明は、簡単に組み立てることができる気体流体の電気駆動式コンプレッサを駆動するための装置、特に電気モータを提供及び改良することを課題とする。
また本発明は、プラグハウジングならびに導線の接続リード線、特にプラグハウジング内に配置された導線の接続リード線の端部が、相互に及び周囲の導電性構成要素に対して気密封止することを課題とする。
【００１７】
更に本発明の装置は、例えば重量及び設置スペースの必要量を減らすために、また、製造コストも最小にするために、構造的に簡単に製造可能であるように、可能な限り少ない数の構成要素及び構造部品を用いることを課題とする。
この問題は、独立特許請求の範囲の特徴を有する主題により解決される。更なる発展は従属特許請求の範囲に明記されている。
【課題を解決するための手段】
【００１８】
この問題は、本発明の気体流体の圧縮機を駆動するための装置、特に電気モータによって解決される。この装置は、共通の長手方向軸に沿って延びるロータと静止ステーターとを含む。ステーターは、コイルの導線のセグメントとして開発された接続リードを含み、有利には、ロータを外側から取り囲むように配置される。
【００１９】
導線は、コイルの近傍で特定の巻線から引き出された導線の非巻線端を有するラッカー銅線で経営された接続リード線であって、好ましくは合成材料被覆により絶縁されるのが有利である。
【００２０】
本発明の概念によれば、少なくとも１つの連結要素を受容するために、少なくとも１つのプラグハウジングが設けられる。連結要素は、導線の接続リードと電気的に接続され、プラグコネクタとの電気接続のために実装されている。少なくとも１つのプラグハウジング用の少なくとも１つの収容要素を有する支持要素が、ステーターの軸方向に向いた端部側に接触して配置されている。収容要素は、プラグコネクタを受けるための少なくとも１つの接続通路を含む。
【００２１】
支持要素及び少なくとも１つのプラグハウジング用の少なくとも１つの収容要素は、収容要素が支持要素の構成部分であるように、凝集ユニット及び一体構成要素として有利に実装される。
本明細書では、軸方向とは、ステーターの長手方向軸の方向と理解されるべきであり、これはまた、ロータの長手方向軸と回転軸とにも対応する。軸方向に配向された端部側は、長手方向軸に対して垂直に配向された平面内に配置されている。
【００２２】
本発明によれば、プラグハウジングは、収容要素の所定の移動方向に挿入され、収容要素の各接続通路と連結要素の第２接続部材とがプラグコネクタを受け入れるために相互に対応するよう配置される。
【００２３】
プラグハウジングは、更に、少なくとも注封材料で充填され、気密シールで支持要素に固定された領域にある。
連結要素は、有利には、第１接続部材と第２接続部材とを含む。
第１接続部材は、導線の接続リードと電気的に接続されている。
第２接続部材はプラグコネクタとの電気的接続のために実施される。
プラグハウジングは、好ましくは、それぞれ収容要素の１つの接続通路と、プラグコネクタを受容するための連結要素の第２接続部材と、が互いに対応するように配置される所定の運動方向で収容要素に挿入される。
【００２４】
収容要素の接続通路とプラグハウジングの連結要素の第２接続部材とは、プラグコネクタを受容するために互いに同心に配向されているのが好ましい。
【００２５】
本発明の利点の１つは、プラグハウジングが収容要素内及びそれと共に支持要素上の適所に固定されることを含む。プラグハウジングは、長手方向軸に対して垂直な平面内に延びる方向から部材内に滑り込ませるのが好ましい。
【００２６】
本発明の一実施例によれば、プラグハウジングは、好ましくは２つの別々に開発された構成要素として、又はリンクされたユニットとして実装される第１ハウジング部及び第２ハウジング部を含む。リンクユニットのハウジング部は、互いの方へ折り畳み可能であるようにヒンジ接続を介して接続される。
【００２７】
ハウジング部は、好ましくは、型閉めの下で接続可能であり、従って互いに接続可能であるように実施される。
導線の接続リードと電気的に接続された連結要素は、第１ハウジング部と第２ハウジング部との間の位置に固定されるのが好ましい。
本明細書では、連結要素は完全にハウジング部間に配置されている。
【００２８】
本発明の特に好ましい実施例によれば、３つの連結要素を収容するためのプラグハウジングは、それぞれ第１接続用素は接続ライン又は導線に、特に一つの位相の導線に電気接続されている。支持要素に形成された収容要素は結果的に３つの接続通路を有する。
【００２９】
本発明の更に好ましい実施例によれば、プラグハウジングは、少なくとも１つの第１室と、少なくとも１つの第２室と、少なくとも１つの第３室と、を備えている。各プラグハウジング内の第１、第２、及び第３の室の数は、プラグハウジング内に配置されている連結要素の数によって決まる。
【００３０】
ここで、好ましくは、導線の１本の接続リード線が、第１室を貫通するとともに第１室を貫通して前記第２室に達するように配置され、導線の接続リード線は前記第２室内で終端する。接続リード線は、第２ハウジング部に設けられた貫通部を介してプラグハウジングの第１室内に導入されるのが好ましい。
【００３１】
本発明の更なる利点は、各場合における第１室がプラグハウジングを気密封止するための注封材料で充填されることを含む。注封材料は、第１室の全容積を満たすことができる。
連結要素は、第２室内の第１接続部材と第３室内の第２接続部材と共に配置され、その結果、２つの室に重なる。
【００３２】
本発明の一実施例によれば、連結要素の第２接続部材は、プラグコネクタを少なくとも部分的に囲むためのアイレットの形で形成される。本明細書では、アイは閉じていても開いていてもよいが溝付きであり、その結果、プラグコネクタ上の配置によって第２接続部材と  連結要素とプラグコネクタとの間の電気接続が確立される。
【００３３】
本発明の好ましい実施例によれば、支持要素は、半径方向に配向された環状表面と軸方向に配向された環状表面とを備え、これらは外側端部に接触して配置され互いに連結される。プラグハウジング用の収容要素は、好ましくは、支持要素の半径方向に配向された環状表面の小領域として開発されている。
【００３４】
上記支持要素の半径方向に整列された半径方向環状面は好ましくは円形リング形態、特に環の扇状円又は開放環形状のセクション形態を有し、一方で、支持要素の軸方向に整列された軸方向環状面は円筒形、円柱、具体的には中空円柱、特に中空円筒形に形成されている。
支持要素の半径方向に配向された半径方向環状面は、有利には環形、特に環の扇形又は開放環形の形態を有し、支持要素の軸方向に配向された環状面は、特に円筒形の形状を有する。
本発明の他の実施例によれば、支持要素は、導線の少なくとも１つの接続リード線を案内するための少なくとも１つの案内部材を備える。
【００３５】
第１案内部材は、好ましくは、軸方向に配向された円筒形、特に中空の円筒形の環状面の円周方向に開いた扇形の形態の壁を有して形成されている。第１案内部材は、好ましくは、支持要素の半径方向に配向された環状表面上で接触して支持要素と、特に半径方向環状表面の内側縁部で接触している下端側と接続されている。
【００３６】
導線の少なくとも１つの接続リード線は、有利には、第１案内部材の壁から支持要素の半径方向環状表面への移行領域にあり、第１案内部材と支持要素とに接触している。
本発明の更なる利点は、少なくとも１つの第２案内部材が保持ブラケットの形態で形成され、それが半径方向外向きに突出して第１案内部材の壁に配置されることを含む。
【００３７】
少なくとも１つの第２案内部材は、導線の接続リードが第２案内部材と支持要素の半径方向に配向された環状面との間に配置されるように、第１案内部材の壁の上端側に形成されることが好ましい。支持要素の半径方向に配向された環状面内で、特に刻み目又は開口部の形態の外形は、軸方向において少なくとも１つの第２案内部材とは反対側に形成することができる。
【００３８】
本発明の更なる変形例によれば、支持要素は、接触領域を有する少なくとも１つの弾性的に変形可能な加圧要素を含む。加圧要素は、実質的に軸方向にある程度の広がりを有して形成することができる。装置の組み立て状態では、加圧要素は、弾性変形下で合わせ面上のその接触領域と接触している。加圧要素の接触領域は、例えば、接触縁としての接触面として、又は点の形で形成することができる。
【００３９】
加圧要素の弾性変形によって支持要素に加えられる圧力のために、接続ポートを有するプラグハウジングのための接続通路を有する収容要素を有する支持要素は、ステーターに対向して押圧され、このようにして支持要素のステーターに対する望ましくない相対運動が防止される。
【００４０】
本発明の更なる特徴は、収容要素、案内部材、及び任意に少なくとも１つの加圧要素を有する支持要素が、収容要素、案内部材、及び支持要素が連結されるように連結要素及び一体構成要素として実現されることを含む。構造上、加圧要素も支持要素の構成要素である。その結果、支持要素は、特にステーターの多機能部品として配備される。接続ポートを有するプラグハウジングを配置するための加圧要素及び収容要素は、支持要素の軸方向に向いた側に配置される。
【００４１】
本発明の更に他の実施例によれば、多数の加圧要素を有する支持要素を実施する場合には、加圧要素は、円周にわたって支持要素上に分布して配置される、少なくとも２つの加圧要素の多重性を理解すべきである。
【００４２】
本発明による気体流体の圧縮機を駆動するための装置を組み立てるための方法は、請求項１乃至２０のいずれか一項に記載の気体流体の圧縮機を駆動するための装置を組み立てる方法であって、
ロータとステーターとを共通の長手方向軸上に配置し、ステーターがロータを半径方向に取り囲む段階と、
ステーターの軸方向を向く第１端部側に支持要素を配置する段階と、プラグハウジングの第１ハウジング部上に、導線の連結要素と電気的に接続された接続リード線を有するか、又は接続リード線なしで少なくとも１つの連結要素を配置する段階と、プラグハウジングの第２ハウジング部を少なくとも１つの連結要素が配置された状態で第１ハウジング部の上に連結要素がハウジング部の間に配置されるように配置するとともに、第２ハウジング部を第１ハウジング部に固定する段階と、第２ハウジング部に形成された貫通部を介して導線の少なくとも１つの接続リード線をプラグハウジング内に導入し、接続リード線のない連結要素が第１ハウジング部に配置された後、導線の接続リード線を接続する段階と、プラグハウジングを支持要素上に配置された収容要素に導入し、これによりプラグハウジングを支持要素の定位置に固定する段階と、注封コンパウンドをプラグハウジングの少なくとも１つの第１室に充填し、このようにしてプラグハウジングを支持要素に接続すると共にプラグハウジングを気密封止する段階と、を含むことを特徴とする。
【００４３】
また本発明は、前記導線の前記特定の連結要素と電気的に接続された前記少なくとも１つの接続リード線を有する前記プラグハウジングを所定の運動方向にスライドさせ、ステーター（１）上に配置されかつ所定の最終位置に固定された支持要素の収容要素内への挿入することが好ましい。
【００４４】
本発明の好ましい一実施例によれば、特定の連結要素と電気的に接続された、導線の少なくとも１つの接続リードを有するプラグハウジングは、所定の運動方向に配置された支持要素の収容要素内に挿入される。ステーターは所定の最終位置に固定されている。
【００４５】
本発明の有利な構成は、自動車の空調システムの冷媒回路内の冷媒の圧縮機用の気体流体の圧縮のために圧縮機を駆動するための装置、特に電気モータの使用を可能にする。
【発明の効果】
【００４６】
最小限の数の必要な構成要素で気体流体の圧縮機を駆動するための本発明による装置及び装置を組み立てるための方法は、更に以下のような多様な特徴を含む。
【００４７】
特に接続リード線の所定位置に導線を固定することによって、追加の固定手段なしに、及び追加の封止要素なしに、専ら注封部材による電気的に活性な接続部品の完全気密封止ができる。
可能な限り最良の電気絶縁と導線の接続リード線の長さの最適化による、最小限のコストと最小限の重量が達成できる。
【００４８】
特に連結要素の完全かつ完全な密封及び圧縮機を流れる流体の浸透の防止によって、連結要素と導電性の不活性構成要素との間の短絡電流の発生が回避できる。
支持要素の収容要素内にプラグハウジングを配置した後でも、プラグハウジング上の導線の接続リード線の接続を可能にする可変的構成の接続方法ができる。
【００４９】
特にプラグハウジング自体と支持要素並びに固定要素上の所定位置に接続ポートを有するプラグハウジング用の収容要素を用て、支持要素の固定の簡単な組み立てが可能となる。
モーターハウジングへの組立て前のプラグハウジング用の収容要素を有する支持要素の明確で明確な位置決めにより、接続ポートを有するプラグハウジングの明確で明確な位置決めができる
【００５０】
支持要素と収容要素との相対移動、及びそれに伴う装置への組立中のステーターに対するインバータへの電気的接続としてプラグコネクタを受容するための接続ポートを有するプラグハウジングの相対移動の防止。特にステーターをロータと一緒にモーターハウジング内に配置するとき、ならびに装置の簡単な組み立てができる。
【００５１】
ステーターとインバータとの間の接続ポートの界面における振動による破損、特に装置の運転中に電気ピンとも呼ばれるピンとして形成されたプラグコネクタの破損が減少し、それによって圧縮機の寿命が最大化される。
【００５２】
本発明の実施形態の更なる詳細、特徴及び利点は、関連する図面を参照しながら実施形態の例に関する以下の説明に基づいて明らかになろう
【図面の簡単な説明】
【００５３】
本発明の実施形態の更なる詳細、特徴及び利点は、関連する図面を参照しながら実施形態の例に関する以下の説明に基づいて明らかになろう
【図１ａ】圧縮機構を駆動するための装置として電気モータを備えた電動圧縮機を示す断面図である。
【図１ｂ】ステーターコア、コイル、絶縁要素、そしてプラグハウジングのための収容要素を有する支持要素を備えた気体流体の圧縮機を駆動するための装置として電気モータのステーターを示す斜視図である。
【図２】第１及び第２ハウジング要素を有するプラグハウジングを示す斜視図である。
【図３ａ】組立過程中に接続ライン又は導線を有するプラグハウジングを示す斜視図である。
【図３ｂ】組立過程中に接続ライン又は導線を有するプラグハウジングを示す斜視図である。
【図３ｃ】組立過程中に接続ライン又は導線を有するプラグハウジングを示す斜視図である。
【図３ｄ】組み立てられた状態で導線の接続ラインを有するプラグハウジングを示す上面図である。
【図４ａ】図１ｂのステーターの端部面の詳細図であって、支持要素無しに、プラグハウジングを有するステーターを示す図である。
【図４ｂ】図１ｂのステーターの端部面の詳細図であって、支持要素を備えてプラグハウジングが装着されたステーターを示す図である。
【図４ｃ】図１ｂのステーターの端部面の詳細図であって、支持要素を備えてプラグハウジングが装着されたステーターを示す図である。
【図４ｄ】支持要素に導線の接続ラインを配置して案内するための第１及び第２案内要素を有する支持要素を示す図である。
【図４ｅ】支持要素に導線の接続ラインを配置して案内するための第１及び第２案内要素を有する支持要素を示す図である。
【図４ｆ】支持要素に導線の接続ラインを配置して案内するための第１及び第２案内要素を有する支持要素を示す図である。
【発明を実施するための形態】
【００５４】
図１ａは、圧縮機構ＶＭを駆動するための装置として、ハウジングＧ内に配置された電気モータＥを備えた電動圧縮機を断面図で示している。電気モータＥにはスイッチング装置ＳＶを介して電力が供給される。電気モータＥは、実質的に中空の円筒形のステーターコア２を有するステーター１と、ステーターコア２に巻回されたコイルと、ステーター１内に配置されたロータＲとを備える。
【００５５】
接続構成ＶＡを介してステーター１のコイルに電力が供給されると、ロータＲは回転運動を開始する。接続機構ＶＡは、ステーター１の端部側に設けられており、多数の電気接続部を備えている。ロータＲは、ステーター１内に同軸に配置され、回転軸を中心に回転可能である。駆動軸Ａは、ロータＲと一体的に又は別個の要素として実施することができる。
【００５６】
電気モータＥならびに静止及び旋回螺旋を有するスクロール圧縮機として実施される圧縮機構ＶＭは、ハウジングＧによって囲まれる容積内に配置される。ここで、ハウジングＧは、電気を受けるための第１ハウジング部によって実施される。モータＥと、圧縮機構ＶＭを受けるための第２ハウジング部と、同様に好ましくは金属製、特にアルミニウム製である。
【００５７】
気体流体、具体的には冷媒が圧縮される圧縮機構ＶＭの旋回螺旋は、電気モータＥのロータＲに接続された駆動軸Ａによって駆動される。また、ウォブルプレートを使って実施することもできる。
【００５８】
図１ｂは、ステーターコア、コイル、絶縁要素、そしてプラグハウジングのための収容要素を有する支持要素を備えた気体流体の圧縮機を駆動するための装置として電気モータのステーターを示す斜視図である。
図１ｂに示すように、ステーター１は、接続構造ＶＡの構成要素として、ステーターコア２と、コイル３と、絶縁要素４と、プラグハウジング７ｂの収容要素７を有する支持要素６とを備えている。電気モータ、例えば三相交流モータは、図示されていないロータと、ロータの外側でロータの周りで半径方向に配置された鉄心のステーター１とを含む。
【００５９】
好ましくは積層シートパッケージとして実装されるステーターコア２、及び電気絶縁材料でとして実装される絶縁要素４は、ステーター１の長手方向軸及びロータの回転軸にも対応する長手方向軸５に沿って延びる。絶縁要素４は、好ましくは、ステーターコア２の被覆として形成されており、したがって一体的構成要素を形成している。
【００６０】
コイル３は、ステーターコア２の半径方向内向きに延びる領域の周りに巻かれた線で構成され、それぞれ導線９として示される導電体で構成されている。導線９の巻かれていない端部は、接続線として特定の巻線から引き出される。ステーターコア２の半径方向内側に延びる領域は、それぞれウェブの形態を有し、ステーターコア２の外壁の円周にわたって一様に分布して配置されている。
【００６１】
コイル３の導線９とステーターコア２の特定の領域との間には、ステーターコア２とコイル３の導体線９とを互いに電気的に絶縁する絶縁要素４が配置されている。内側にかつ軸方向に向けられたウェブの端部において、絶縁要素４は、それが軸方向に広がるように実施される。このようにして絶縁要素４から突出する端部セグメントは、ステーターコア２のウェブの周りに巻かれたコイル３の導線９を固定するのに役立つ。ステーターコア２、絶縁要素４、及びコイル３は、電動機のステーターユニットを形成する。
【００６２】
ステーター１の第１端部側には、接続ポートを有するプラグハウジング７ｂの接続通路を有する収容要素７を有する支持要素６が配置されている。プラグハウジング７ｂの接続ポートは、例えば接続通路７ａを通って案内される導電性ピン型プラグコネクタを用いて、電気モータのコイル３とインバータとの間の電気接続の構成要素として機能する。支持要素６の収容要素７の端部は、プラグハウジング７ｂの接続ポートに差し込まれて配置されている。
コイル３の導線９の接続リードと収容要素７に設けられたプラグハウジング７ｂの接続口とが電気的に接続されている。
【００６３】
ステーター１の組み立て状態では、支持要素６は、一方では、特にステーターコア２上で、ステーター１の軸と接触している。支持要素６の外径は、本明細書ではステーターコア２の外径よりも小さい。
一方、プラグハウジング７ｂ用の収容要素７を有する支持要素６は、実質的に軸方向に延びる加圧要素８を備える。収容要素７と加圧要素８とは、支持要素６の、軸方向に配向されかつステーターコア２から離れる方向に向けられた共通の側に配置されている。
【００６４】
支持要素６は、更に、半径方向に配向された半径方向環状面６ａ、特に円環状環状面の扇形部、並びに軸方向に配向された円筒状、特に中空円筒状の環状面を備え、更に外側縁部で互いに接触し、互いに接続されている軸方向環状面６ｂを有する。
プの収容要素７のプラグハウジング７ｂは、半径方向に配向された環状表面６ａの小領域として、したがって支持要素６の構成要素として設けられる。
【００６５】
支持要素６の軸方向環状面６ｂの中空円筒壁は、ステーターコア２の外壁の外径よりも小さい外径と、ステーターコア２の外壁の内径よりも大きい内径とを有する。
弾性加圧要素８は、半径方向に配向された環状リング状の軸方向環状表面６ａの領域、特に内側縁部に配置され、好ましくは円弧又はばねの形態を有する。加圧要素８は、プラグハウジング７ｂ用の収容要素７と同様に、支持要素６の構成要素として設けられる。
【００６６】
半径方向環状面６ａ、軸方向環状面６ｂ、プラグハウジング７ｂのための接続通路を有する収容要素７、及び接続ポートを有する支持要素６、並びに加圧要素８は、一体射出成形ユニットとして一体的に形成されている。単一部品としての形成はモールディング工程で実現される。加圧要素８は、実質的に軸方向に配向されて配置されたウェブと実質的に半径方向に配向された接触領域とを含む。
【００６７】
加圧要素８はウェブの端縁を横切って半径方向環状面６ａと接続されている。ウェブの端縁に対して遠位方向に延伸された端部において、加圧要素８は、有利には接触面として形成された接触領域を含む。
【００６８】
電気モータの装着状態において、圧力要素８は、電気モータの図示されていないハウジング上の接触面と接触している。支持要素６を有するステーターがモーターハウジング内に装着された後、ステーター１をモーターハウジング内に挿入または「圧入」し、モーターハウジングから加圧要素８の、特にウェブに圧力を加えたとき、加圧要素８は弾性的に変形する。
【００６９】
支持要素６の構成要素として、加圧要素８は、支持要素６の幾何学的形状及び機械的寸法に対応する所定の剛性を有する。
ステータ１をモータハウジング内で支持要素６とモータハウジングの閉端として形成された表面との間に取り付けると、実質的に軸方向に作用する力、特にばね力が生じ、このようにして、支持要素６は、加圧要素８の弾性により、ステータ１に向かう方向、特にステータコア２の方向に押圧される。
【００７０】
モーターハウジングへの加圧要素８の接触及び加圧要素８の弾性変形により、力は支持要素６に作用する。従って、支持要素６を有するステーター１をモーターハウジング内に結合させ押し込むと、加圧要素８の変形によって、支持要素６に、プラグによる支持要素６又は収容要素７の移動を防止するストレスが発生する。電動機、ひいては圧縮機の作動中にハウジング７ｂが回転し、収容要素７と収容要素７内に配置されたプラグハウジング７ｂとを有する支持要素６は、ステーター１上に、具体的には軸方向に固定される。
【００７１】
電気モータが装着されている間、プラグハウジング７ｂ内の端子クランプに固定され且つ支持要素６内の曲率で案内された導線９の接続リード線は、半径方向外向きに円周方向に作用する接線力を発生し、この力は、プラグハウジング７ｂ用の受け部材７を有する支持要素６の必要な位置からの変位又は回転を招く可能性がある。
【００７２】
独立した構成要素として、且つピンとして開発され、インバータの接続ポートを横切って配置されたプラグコネクタは、一緒に接続通路７ａを有する受け部材７をステータ１に対してプラグハウジング７ｂに形成された接続ポートに係合させるプラグハウジング７ｂの特定の位置にのみ設置され得て、受け部材７内に配置されたプラグハウジング７ｂのステータ１に対する位置ずれ又は位置ずれを防止するために、ステータ１が所定の位置でステータ１のモータハウジングに取り付けられる前に、固定子１に対して所定の位置に固定される。
【００７３】
ステーター１、特にステーター１の絶縁要素４は、ステーター１の円周方向における支持要素６の移動を阻止するためのシステム、すなわち回転ロックシステムの第１（図示せず）要素で実施される。一方、支持要素６は、回転ロックシステムの第２（これもまた図示されていない）要素を含む。
【００７４】
ステーター１の円周方向における支持要素６の移動を阻止するためのシステムは、システムの各第１要素に対してそれに形態に対応する第２要素が設けられるようなフォーム閉鎖要素の実施に基づく。
【００７５】
支持要素６と絶縁要素４との間に形成された型閉接続によって、支持要素６、それと共にプラグハウジング７ｂ用の収容要素７、及び結果としてプラグハウジング７ｂ自体は、長手方向軸５を中心とする回転に抗して、特に圧力部材８によって、半径方向に絶縁要素４上の所定位置に固定され、また、電気モータの取付け中にインバータに配置されピンとして形成されたプラグコネクタをプラグハウジング７ｂに形成された接続ポート内に導入するために、ステータ１に対して常に所望の方法で配向されるように配置される。
【００７６】
図２は、第１ハウジング部１０と第２ハウジング部１１とを有する実質的に２つの部分からなるプラグハウジング７ｂを斜視図で示している。平坦な支持面を有するように展開された第１ハウジング部１０は、
上部カバー構成要素としての第２ハウジング部１１を配置するための下部キャリア構成要素として機能する。図示されていない実施形態によれば、２つのハウジング部はそれらが互いに移動可能であるようにに配置されている。本明細書では、ハウジング部をヒンジを横切って、したがって折り畳み機能を介して結合することができる。
【００７７】
端面の領域において、第１ハウジング部１０の平坦な支持面は、インバータに配置されたプラグコネクタを貫通するためのプラグハウジング７ｂの接続ポートの貫通開口部１２を含む。第２ハウジング部１１は、端部側の領域において、プラグハウジング７ｂの装着状態において、導線９の接続リードを受けるための貫通部１３は、貫通開口部１２を有する第１ハウジング部１０の端部側に遠位方向にそれぞれ１つずつ形成されている。
プラグハウジング７ｂの装着状態では、第１、第２ハウジング部１０、１１は互いに固定されている。ハウジング部１０、１１は、本明細書では、少なくとも１つのヒンジ手段、特にスナップクロージャを介して互いに接続されることが好ましい。図示されていない第１、第２ハウジング部１０、１１の間には、導線９の接続リード線との接続のために接続部材が配置されている。
【００７８】
図３ａ〜図３ｃは、取り付け工程中の導線９の接続リードを有するプラグハウジング７ｂをそれぞれ斜視図で示している。図３ｄにおいて、プラグハウジング７ｂは、取り付けられた状態の導線９の接続リード線と共に上面図で示される。
取り付け工程中、図３ａ及び図３ｂによる連結要素１４は、連結要素１４と予め接続されている接続リード線又は導線９を伴って、又は伴わずに、キャリア構成要素として第１ハウジング部１０上に任意に配置される。
【００７９】
第１ハウジング部１０は、受け部として開発された適切な形状を備えている。これはまた、第１ハウジング部１０上の連結要素１４の誤配置を排除する目的で行われる。本明細書における第１ハウジング部１０の形状は、連結要素１４の形状に対応する。
【００８０】
図３ｂ及び図３ｃに示すように、プラグハウジング７ｂのカバー構成要素としての第２ハウジング部１１は、導線９の接続リードの連結要素１４が配置された状態で第１ハウジング部１０に配置され、所定位置に固定される。少なくとも１つのスナップロック、特にスナップインロックの実装により、連結要素１４は、プラグハウジング７ｂ内の第１ハウジング部１０と第２ハウジング部１１との間に固定され、常に予め定められた位置に固定される。
【００８１】
導線９の接続リード線は、ここでは第２ハウジング部１１に設けられた貫通部１３を介して供給されるか、又は貫通部１３を介して第１ハウジング部１０と第２ハウジング部１１との間に供給され、連結要素１４を用いてプラグハウジング７ｂ内で機械的かつ電気的に接続される。
プラグハウジング７ｂを２つの部品で形成することにより、連結要素１４が第１ハウジング部１０上に配置された後、又はハウジング部１０、１１が互いに接続された後にも接続リード線又は導線９を連結要素１４に接続することが可能となる。
【００８２】
それとは別に、導線９の接続リード線は、第１ハウジング部１０と第２ハウジング部１１を組み立てる前に、特定の連結要素１４と接続することもできる。連結要素１４は、その後、第１ハウジング部１０の導線９の上に配置される。
特に図３ｄに示すように、プラグハウジング７ｂは、組み立てられた状態において、導線９の接続リード線とプラグハウジング７ｂとの各接続に対して、異なる機能及び形状を有する３種類の室１５、１６、１７を備える。
【００８３】
貫通部１３を介してプラグハウジング７ｂ内の第１室１５内に供給された導線９の接続リードは、第１室１５を横切って第２室１６内で終端するように配置されている。
連結要素１４には、第２室１６内の導線９の接続リードと接続するための第１接続部材１４ａ、並びに第２室１６及び第３室１７と重なるように第３の室１７内に配置されたプラグコネクタとの接続のための第２接続部材１４ｂが配置される。
【００８４】
プラグハウジング７ｂを組み立てた後、第１及び第２ハウジング部１０、１１の間に配置された連結要素１４並びに第１及び第２ハウジング部１０、１１を導線９の接続リード線を第１接続部材１４ａに接続した後、連結要素１４を第１ハウジング部１０の平らな支持面と結合し、第１室１５に注封材料を充填して、導電連結要素１４の気密封止を行う。  プラグハウジング７ｂ内の導線９の接続リードと連結要素１４との電気的接続も同様である。
【００８５】
気密封止は、連結要素１４又は導線９の接続リード線ならびに電気モータの不活性導電性構成要素間の短絡電流を防止する。更に、電動機によって駆動される圧縮機内の絶縁抵抗が改善される。注封材料は、プラグハウジング７ｂが支持要素６の収容要素７の第１室１５に取り付けられた後に導入されるのが好ましい。
第２室１６内には、導線９の接続リード線、特に接続リード線の端部と、連結要素１４の第１接続部材１４ａとの電気接続部が配置されている。
【００８６】
プラグハウジング７ｂ又は装置の組み立て方法に応じて、導線９の接続リード線と連結要素１４の第１接続部材１４ａとの恒久的な接続は、例えば圧着、はんだ付け又は溶接によって、連結要素１４を配置及び固定する方法ステップの後にのみ確立される。第２室１６は、必要な接続工具を挿入するのに十分なスペースを有する。
【００８７】
第３室１７の壁は、電気モータとインバータとを電気的に接続するための導電性のピン型プラグコネクタを導入するために第１ハウジング部１０に設けられた貫通開口部１２を有する。それぞれが第３の室１７内に配置された連結要素１４の第２接続部材１４ｂは、プラグコネクタ、特にピン形プラグコネクタの一端がアイレットの形に形成される。電動機の組立中に、第２接続部材１４ｂが、インバータと結合されたプラグコネクタがプラグハウジング７ｂの貫通開口部１２を通してアイレットの中に挿入される。
【００８８】
ここで、プラグコネクタの外側は、導電性を有するように第２接続部材１４ｂのアイレットの形をした壁の内側に接触している。第１接続部材１４ａ及び第２接続部材１４ｂを有する連結要素１４はそれぞれ単一の導電性構成要素として形成されているので、結果として、プラグコネクタ及び導線９の接続リードの間の電気的な接続が保証される。
プラグハウジング７ｂは、任意の所望の数の連結要素１４を形成することができる。更に、支持要素６上の収容要素７内に多数のプラグハウジング７ｂを配置することができる。
【００８９】
図４ａから図４ｃは、支持要素６を除いた、図４ａによる図１ｂのステータ１の端部側の詳細図を示す。しかしながら、プラグハウジング７ｂを有し、図４ｂ及び図４ｃによれば、それぞれ支持要素６を有し、かつプラグハウジング７ｂが収容要素７に取り付けられている。
特に図４ａに示すように、ステーター１の端部側の絶縁要素４は、ステーターコア２を越えて突出している。固定要素コア２から突出する絶縁要素４の領域は、軸方向に中空で実質的に円筒形の壁を有する。
【００９０】
支持要素６は、絶縁要素４の壁の端部側の領域において半径方向に配向された円環状の半径方向環状面６ａと共に、その外面において軸方向に配向された円筒状の軸方向環状面６ｂの絶縁要素４の壁と共に配置されている。
絶縁要素４の壁の外径は、軸方向に配向された中空円筒形の環状表面６ｂの領域における支持要素６の内径に取り付けのための公差又は間隙を加えたものに実質的に対応する。
【００９１】
図４ｂに示すように、圧縮機、特に電気モータの取り付け工程中に、導線９の連結要素１４と及び電気的に接続された接続リード線を有する予め組み立てられたプラグハウジング７ｂが、ステータコア２に配置された支持要素６の受け部材７内に運動方向１８に滑り込まされる。プラグハウジング７ｂを収容要素７内に滑り込ませることは、引出しを閉じるの同様に行うことができる。
【００９２】
本明細書では、プラグハウジング７ｂは、プラグハウジング７ｂの接続端子、特に連結要素１４の第２接続部材１４ｂのアイレットの開口部、そして第１ハウジング要素１０の貫通開口部１２が上記収容要素７内に形成された接続通路７ａに同軸に配置されるまで収容要素７側に移動され、インバーターにピン型に形成されたプラグコネクターが支持要素６の収容要素７の接続通路７ａを経てプラグハウジング７ｂの連結端子、そしてそれと共に連結要素１４の第２接続用素１４ｂのアイレット、に挿入できる。
【００９３】
続いて、プラグハウジング７ｂの第１室１５を注封材料で充填する。図４ｃは、室１５が注封部材で充填された状態で収容要素７に差し込まれたプラグハウジング７ｂを示す。
【００９４】
支持要素６の形状に適合された導線９の接続リード線の磁気的に不活性な部分において、プラグハウジング７ｂは、支持要素６の収容部材７内に挿入することができ、同時に、支持要素６に対して最小化された長さの導線９の接続リードも、接続リードは固定のための追加の構成要素なしに、支持要素６の形状のみによって固定されかつ案内され得る。
【００９５】
図４ｄ〜図４ｆのそれぞれにおいて、支持要素６は、支持要素６上の導線９の接続リード線を配置して案内するための第１案内部材１９又は第２案内部材２０と共に示している。
【００９６】
図４ｂによれば、支持要素６は、有利には丸みを帯びた表面又は縁を有する第１及び第２案内部材１９、２０を含み、その上に好ましくはラッカーコートされた導線９又は導線９の接続リード線を備える。これは、図４ｄに特に明確に示している。それによって、装置の取り付け中に、例えば鋭い縁との接触による導線９の損傷が回避される。導線９に対するそのような損傷は、短絡電流を招く可能性があり、また圧縮機の絶縁抵抗の低下を招く可能性がある。
【００９７】
半径方環状面６ａの領域において、支持要素６の半径方向環状面６ａは、第１案内部材１９を備えて形成され、上記第１案内部材１９は、下部端部側の半径方向環状面６ａの内側縁部に配置されている。第１案内部材１９は、軸方向に配向された中空の円筒形の環状面の円周方向に開いた扇形の形状を有し、支持要素６の半径方向環状面６ａに平行に配置された軸方向に整列された円筒形、特に中空円筒形リング表面の広く開放されたセクション形状を有し、支持要素６の軸方向環状面６ｂと平行に配置されている。
【００９８】
半径方向環状面６ａに形成された開口部を通って案内される導線９の接続リードは、特に第１案内部材１９の壁の半径方向環状面６ａへの移行領域において、支持要素６に接触している。
更に、支持要素６には、半径方向外向きに突出する第１案内部材１９の壁に配置された、それぞれ保持ブラケットの形態の追加の第２案内部材２０を設けることができる。
【００９９】
ここでは、第２案内部材２０は、第１案内部材１９の壁の上端側で半径方向環状面６ａと平行に配向されたクランプ要素として形成されている。その結果、導線９の接続ラインは軸方向に半径方向環表面６ａと第２案内要素２０の間で案内されるかクランピングされることで、導線９の接続ラインの好ましくない移動が防止される。
【０１００】
第２案内要素２０の領域で、それぞれ半径方向環表面６ａの内部には整形部２１の開口が、上記半径方向環表面６ａと第２案内要素２０の間で軸方向に作用する力によりクランピングされた導線９の接続ラインに加えられる高い機械的圧力を防止するために設けられている。
【０１０１】
プラグハウジング７ｂの収容要素７と同様に、第１案内部材１９及び第２案内部材２０はそれぞれ、支持要素６の構成要素として形成される。軸方向環状面６ｂ、プラグハウジング７ｂのための接続通路７ａを有する収容要素７、及び案内部材１９、２０は、ユニットとして、特に一体射出成形要素として形成される。
【０１０２】
更に、図４ｆでは、図３ａ〜図３ｄ、図４ａ、図４ｂ及び図４ｄによる３つの接続部材１４を受けるためのプラグハウジング７ｂの代わりに、１つのみの接続部材を受けるためのプラグハウジング７ｂを受けるための互いに離間した３つの収容要素７を備える実施形態が示される。。本明細書では、導線９の１つの接続リード線がそれぞれ各プラグハウジング内に収容されている。
【符号の説明】
【０１０３】
１      ステーター
２      ステーターコア
３      コイル
４      絶縁要素
５      長手方向軸
６      支持要素
６ａ    半径方向環状面
６ｂ    軸方向環状面
７      収容要素
７ａ    接続通路
７ｂ    プラグハウジング
８      加圧要素
９      導線
１０      第１ハウジング部
１１      第２ハウジング部
１２      貫通開口部
１３      貫通部
１４      連結要素
１４ａ    第１接続部材
１４ｂ    第２接続部材
１５      第１室
１６      第２室
１７      第３室
１８      移動方向
１９      第１案内部材
２０      第２案内部材
２１      成形部
Ａ      駆動軸
Ｅ      電気モータ
Ｇ      ハウジング
Ｌ      プリント基板
Ｒ      ロータ
ＳＥ      スイッチング要素
ＳＶ      スイッチング装置
ＶＡ      接続構造
ＣＭ      圧縮機構
【図１ａ】
2019205341.tif 000003
【図１ｂ】
2019205341.tif 000004
【図２】
2019205341.tif 000005
【図３ａ】
2019205341.tif 000006
【図３ｂ】
2019205341.tif 000007
【図３ｃ】
2019205341.tif 000008
【図３ｄ】
2019205341.tif 000009
【図４ａ】
2019205341.tif 000010
【図４ｂ】
2019205341.tif 000011
【図４ｃ】
2019205341.tif 000012
【図４ｄ】
2019205341.tif 000013
【図４ｅ】
2019205341.tif 000014
【図４ｆ】
2019205341.tif 000015